(57)【要約】      （修正有）【課題】印刷ジョブの出力者以外のユーザーが低消費電力モードにある画像形成装置において迅速に印刷物を受け取ることができる。【解決手段】携帯端末と連携する画像形成装置は、画像形成処理が可能な第１の電力モードと、第１の電力モードよりも消費電力が少ない第２の電力モードとで画像形成処理を行う画像形成部と、印刷内容を表す印刷情報と、印刷対象となる画像データと、印刷物の受取人を表す受取人情報とを含み、受取人情報によって表される受取人の認証情報を使用した認証処理に応じて画像形成処理が許可される受取人指定印刷ジョブを受信する印刷ジョブ受信部と、画像形成装置が第２の電力モードで作動している場合には、印刷情報を有する携帯端末の接近を検知し、検知に応じて第２の電力モードから第１の電力モードに復帰させ、認証情報を有する携帯端末を使用する認証処理の成功に応じて画像形成処理を許可する受取人指定印刷管理部を備える。【選択図】図１
2018079663.tif 000002
【特許請求の範囲】
【請求項１】
携帯端末と連携して画像形成処理を行う画像形成装置であって、
画像形成処理が可能な第１の電力モードと、前記第１の電力モードよりも消費電力が少ない第２の電力モードとで前記画像形成処理を行う画像形成部と、
印刷内容を表す印刷情報と、印刷対象となる画像データと、印刷物の受取人を表す受取人情報とを含み、前記受取人情報によって表される前記受取人の認証情報を使用した認証処理に応じて前記画像形成処理が許可される受取人指定印刷ジョブを受信する印刷ジョブ受信部と、
前記画像形成装置が前記第２の電力モードで作動している場合には、前記印刷情報を有する前記携帯端末の接近を検知し、前記検知に応じて前記第２の電力モードから前記第１の電力モードに復帰させ、前記認証情報を有する携帯端末を使用する認証処理の成功に応じて前記画像形成処理を許可する受取人指定印刷管理部と、
を備える画像形成装置。
【請求項２】
請求項１記載の画像形成装置であって、
前記受取人指定印刷管理部は、前記検知された接近位置よりも前記画像形成装置に近い位置への前記携帯端末の到達を検知し、前記検知に応じて前記認証処理を実行する画像形成装置。
【請求項３】
請求項１又は２に記載の画像形成装置であって、
前記受取人指定印刷管理部は、前記画像形成装置と前記携帯端末との間の無線通信を利用して前記接近を検知する画像形成装置。
【請求項４】
請求項１乃至３のいずれか１項に記載の画像形成装置であって、
前記受取人指定印刷管理部は、前記受取人指定印刷ジョブの受信に応じて、前記画像形成装置において印刷物が受け取り可能状態であることを表す情報を前記携帯端末に送信する画像形成装置。
【請求項５】
画像形成システムであって、
請求項１乃至４のいずれか１項に記載の画像形成装置と、
前記携帯端末と、
を備える画像形成システム。
【請求項６】
携帯端末と連携して画像形成処理を行う画像形成方法であって、
画像形成処理が可能な第１の電力モードと、前記第１の電力モードよりも消費電力が少ない第２の電力モードとで前記画像形成処理を行う画像形成工程と、
印刷内容を表す印刷情報と、印刷対象となる画像データと、印刷物の受取人を表す受取人情報とを含み、前記受取人情報によって表される前記受取人の認証情報を使用した認証処理に応じて前記画像形成処理が許可される受取人指定印刷ジョブを受信する印刷ジョブ受信工程と、
前記画像形成工程が前記第２の電力モードで作動している場合には、前記印刷情報を有する前記携帯端末の接近を検知し、前記検知に応じて前記第２の電力モードから前記第１の電力モードに復帰させ、前記認証情報を有する携帯端末を使用する認証処理の成功に応じて前記画像形成処理を許可する受取人指定印刷管理工程と、
を備える画像形成方法。
【請求項７】
携帯端末と連携して画像形成処理を行う画像形成装置を制御するための画像形成プログラムであって、
画像形成処理が可能な第１の電力モードと、前記第１の電力モードよりも消費電力が少ない第２の電力モードとで前記画像形成処理を行う画像形成部、
印刷内容を表す印刷情報と、印刷対象となる画像データと、印刷物の受取人を表す受取人情報とを含み、前記受取人情報によって表される前記受取人の認証情報を使用した認証処理に応じて前記画像形成処理が許可される受取人指定印刷ジョブを受信する印刷ジョブ受信部、及び
前記画像形成装置が前記第２の電力モードで作動している場合には、前記印刷情報を有する前記携帯端末の接近を検知し、前記検知に応じて前記第２の電力モードから前記第１の電力モードに復帰させ、前記認証情報を有する携帯端末を使用する認証処理の成功に応じて前記画像形成処理を許可する受取人指定印刷管理部として前記画像形成装置を機能させる画像形成プログラム。
【発明の詳細な説明】
【技術分野】
【０００１】
本発明は、画像形成装置、画像形成システム、画像形成方法及び画像形成プログラムに関し、特に機密情報を秘匿するための技術に関する。
【背景技術】
【０００２】
典型的な画像形成装置（たとえばプリンター、多機能プリンター、又は複合機（Ｍｕｌｔｉｆｕｎｃｔｉｏｎ  Ｐｅｒｉｐｈｅｒａｌ）は、トナー像を印刷用紙に定着させる定着装置を有している。定着装置は、画像形成装置において大きな電力を消費する部分であるため、印刷していないときには加熱が停止されている低消費電力モードにあることが一般的である。低消費電力モードでは、さらに、操作表示パネルの消灯なども行われ、消費電力を低減している。一方、低消費電力モードは復帰に時間を要するので、ユーザーの画像形成装置への接近の検知に応じて低消費電力モードから復帰するための様々な技術も提案されている。
【０００３】
たとえば特許文献１は、社員証（ＩＣタグ付き）を付けたユーザーが画像形成装置に接近してきたときに、過去の行動パターンから画像形成装置の使用のために接近したものとの推定に基づいて低消費電力モードから復帰する技術を提案している。特許文献２は、携帯端末を有するユーザーの接近の検知に応じて、画像形成装置に出力された印刷物を受け取りにきたと推定された場合には低消費電力モードから復帰しないようにする技術を提案している。特許文献３及び４は、複数の画像形成装置のいずれかへ携帯電話を有するユーザーが接近したときに、接近中の画像形成装置にデータを送って印刷を実行する技術を提案している。特許文献５は、ユーザーの画像形成装置への接近に応じて、印刷ジョブの取得、ウォームアップ及び印刷ジョブの表示を行う技術を提案している。特許文献６は、印刷データを有する携帯端末の画像形成装置への接近に応じて、携帯端末から印刷装置へ印刷データを送信する技術を提案している。
【先行技術文献】
【特許文献】
【０００４】
【特許文献１】特開２００７−４９３０８号公報
【特許文献２】特開２０１１−３７０５０号公報
【特許文献３】特開２００２−４１４２２号公報
【特許文献４】特開２００３−１７３２５１号公報
【特許文献５】特開２００９−２３４１０６号公報
【特許文献６】特開２０１１−８５６４号公報
【発明の概要】
【発明が解決しようとする課題】
【０００５】
しかし、上述の技術は、いずれも印刷ジョブの出力者が印刷物を受け取ることを想定しており、印刷ジョブの出力者と相違するユーザーを受取人に指定して印刷物を受け取る方法については検討されていなかった。
【０００６】
本発明は、このような状況に鑑みてなされたものであり、印刷ジョブの出力者以外のユーザーが低消費電力モードにある画像形成装置において迅速に印刷物を受け取るための技術を提供することを目的とする。
【課題を解決するための手段】
【０００７】
本発明は、携帯端末と連携して画像形成処理を行う画像形成装置を提供する。前記画像形成装置は、画像形成処理が可能な第１の電力モードと、前記第１の電力モードよりも消費電力が少ない第２の電力モードとで前記画像形成処理を行う画像形成部と、印刷内容を表す印刷情報と、印刷対象となる画像データと、印刷物の受取人を表す受取人情報とを含み、前記受取人情報によって表される前記受取人の認証情報を使用した認証処理に応じて前記画像形成処理が許可される受取人指定印刷ジョブを受信する印刷ジョブ受信部と、前記画像形成装置が前記第２の電力モードで作動している場合には、前記印刷情報を有する前記携帯端末の接近を検知し、前記検知に応じて前記第２の電力モードから前記第１の電力モードに復帰させ、前記認証情報を有する携帯端末を使用する認証処理の成功に応じて前記画像形成処理を許可する受取人指定印刷管理部とを備える。
【０００８】
本発明は、携帯端末と連携して画像形成処理を行う画像形成方法を提供する。前記画像形成方法は、画像形成処理が可能な第１の電力モードと、前記第１の電力モードよりも消費電力が少ない第２の電力モードとで前記画像形成処理を行う画像形成工程と、印刷内容を表す印刷情報と、印刷対象となる画像データと、印刷物の受取人を表す受取人情報とを含み、前記受取人情報によって表される前記受取人の認証情報を使用した認証処理に応じて前記画像形成処理が許可される受取人指定印刷ジョブを受信する印刷ジョブ受信工程と、前記画像形成工程が前記第２の電力モードで作動している場合には、前記印刷情報を有する前記携帯端末の接近を検知し、前記検知に応じて前記第２の電力モードから前記第１の電力モードに復帰させ、前記認証情報を有する携帯端末を使用する認証処理の成功に応じて前記画像形成処理を許可する受取人指定印刷管理工程とを備える。
【０００９】
本発明は、携帯端末と連携して画像形成処理を行う画像形成装置を制御するための画像形成プログラムを提供する。前記画像形成プログラムは、画像形成処理が可能な第１の電力モードと、前記第１の電力モードよりも消費電力が少ない第２の電力モードとで前記画像形成処理を行う画像形成部、印刷内容を表す印刷情報と、印刷対象となる画像データと、印刷物の受取人を表す受取人情報とを含み、前記受取人情報によって表される前記受取人の認証情報を使用した認証処理に応じて前記画像形成処理が許可される受取人指定印刷ジョブを受信する印刷ジョブ受信部、及び前記画像形成装置が前記第２の電力モードで作動している場合には、前記印刷情報を有する前記携帯端末の接近を検知し、前記検知に応じて前記第２の電力モードから前記第１の電力モードに復帰させ、前記認証情報を有する携帯端末を使用する認証処理の成功に応じて前記画像形成処理を許可する受取人指定印刷管理部として前記画像形成装置を機能させる。
【発明の効果】
【００１０】
本発明によれば、印刷ジョブの出力者以外のユーザーが低消費電力モードにある画像形成装置において迅速に印刷物を受け取るための技術を提供することができる。
【図面の簡単な説明】
【００１１】
【図１】本発明の一実施形態に係る画像形成システム１０の機能構成を示すブロックダイアグラムである。
【図２】一実施形態に係る受取人指定印刷処理手順の内容を示すフローチャートである。
【図３】一実施形態に係るスマートフォン２００に表示される操作表示画面を示す説明図である。
【図４】一実施形態に係る受取人側対応処理手順の内容を示すフローチャートである。
【発明を実施するための形態】
【００１２】
以下、本発明を実施するための形態（以下、「実施形態」という）を、図面を参照して説明する。
【００１３】
図１は、本発明の一実施形態に係る画像形成システム１０の機能構成を示すブロックダイアグラムである。画像形成システム１０は、複数の画像形成装置１００（１０１，１０２及び１０３）と、複数のスマートフォン２００（２０１，２０２及び２０３）と、複数のパーソナルコンピュータ３００（３０１，３０２及び３０３）と、複数のアクセスポイント４００とを備えている。パーソナルコンピュータ３００は、端末とも呼ばれる。スマートフォン２００は、携帯端末とも呼ばれる。
【００１４】
画像形成装置１００には、有線のネットワークＮを介して複数のパーソナルコンピュータ３００と複数のアクセスポイント４００とが接続されている。複数のスマートフォン２００には、無線通信機能を介して、複数の画像形成装置１００と、複数のパーソナルコンピュータ３００と、複数のアクセスポイント４００とが接続されている。
【００１５】
無線通信機能には、本実施形態では、無線ＬＡＮ（ＩＥＥＥ  ８０２．１１）が利用される。無線通信機能では、複数のスマートフォン２００は、たとえば電波到達時間差方式（ＴＤＯＡ（Ｔｉｍｅ  Ｄｉｆｆｅｒｅｎｃｅ  ｏｆ  Ａｒｒｉｖａｌ））や電波受信強度方式（ＲＳＳＩ（Ｒｅｃｅｉｖｅｄ  Ｓｉｇｎａｌ  Ｓｔｒｅｎｇｔｈ  Ｉｎｄｉｃａｔｉｏｎ）とも呼ばれる。）に基づいてスマートフォン２００と複数の画像形成装置１００（１０１，１０２及び１０３）との間の位置関係や距離を推定することができる。電波強度（ＲＳＳＩ）は、無線通信出力の制御に使用されるパラメータである。この推定には、複数のアクセスポイント４００との通信も利用可能である。
【００１６】
画像形成装置１００は、制御部１１０と、画像形成部１２０と、操作表示部１３０と、記憶部１４０と、通信インターフェース部１５０とを備えている。制御部１１０は、受取人指定印刷管理部１１１を備えている。通信インターフェース部１５０は、印刷ジョブ受信部として機能する。受取人指定印刷管理部１１１の機能については後述する。
【００１７】
画像形成部１２０は、原稿から画像を読み取って画像データを生成する画像読取部１２１と、印刷設定に従って画像データを処理する画像処理部１２２と、処理された画像データに基づいて印刷媒体上に印刷を行う画像出力部１２３とを備えている。画像出力部１２３は、加熱することによって印刷媒体上に画像を定着させるための定着部１２３ａを有している。
【００１８】
画像形成装置１００は、印刷出力が可能な通常電力モード（第１の電力モードとも呼ばれる。）と、通常電力モードよりも電力消費が少ない低消費電力モード（第２の電力モードとも呼ばれる。）とを含む複数の電力モードで作動する。通常電力モードでは、定着部１２３ａには、印刷出力のために電力が供給され、定着可能温度に制御されている。低消費電力モードでは、定着部１２３ａは、定着可能温度となるようには制御されておらず、電力消費が低減されている。
【００１９】
画像形成装置１００は、印刷ジョブを受信すると、通例では、直ちに通常電力モードに復帰してから印刷出力を開始する。したがって、ユーザーは、印刷ジョブを送信した後、印刷出力が完了した頃に印刷物を受け取りに行くと、画像形成装置１００の前で待機することなく、直ちに印刷物を受け取ることができる。これに対して、画像形成装置１００での認証操作に応じて出力される印刷処理（このような印刷処理は、プライベート印刷処理と呼ばれる。）では、ユーザーは、画像形成装置１００での認証操作後に開始される低消費電力モードから通常電力モードへの復帰動作（定着部の加熱動作を含む。）を待たなくてはならないことがある。
【００２０】
画像形成装置１００の操作表示部１３０は、ディスプレイ１３１と、操作処理部１３２とを備えている。スマートフォン２００は、制御部２１０と、操作表示部２３０と、記憶部２４０と、通信インターフェース部２５０とを備えている。操作表示部２３０は、ディスプレイ２３１と、操作処理部２３２とを備えている。
【００２１】
ディスプレイ１３１，２３１は、タッチパネルとして機能し、様々なメニューを入力画面として表示する。操作処理部１３２，２３２は、それぞれタッチパネルとして機能するディスプレイ１３１，２３１や各種ボタンやスイッチ（図示せず）からユーザーの操作入力を受け付ける。
【００２２】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備え、それぞれ画像形成装置１００及びスマートフォン２００の全体を制御する。
【００２３】
記憶部１４０，２４０は、非一時的な記録媒体であるハードディスクドライブやフラッシュメモリー等からなる記憶装置で、それぞれ制御部１１０，２１０が実行する処理の制御プログラムやデータを記憶する。
【００２４】
図２は、一実施形態に係る受取人指定印刷処理手順の内容を示すフローチャートである。受取人指定印刷処理は、プライベート印刷処理において、印刷物の受取人が印刷ジョブの出力者と相違するユーザーに指定されている処理である。プライベート印刷処理とは、前述のように画像形成装置１００の操作表示部１３０における認証操作に応じて許可されて出力される印刷処理（画像形成処理）である。この認証操作（あるいは自動的な認証処理）は、本実施形態では、スマートフォン２００との連携によって行われる。これにより、機密情報を表示する印刷物の第三者による持ち去りを未然に防止し、印刷物上の機密情報の秘匿性の向上を図ることができる。
【００２５】
ステップＳ１０では、パーソナルコンピュータ３０１は、印刷ジョブ生成処理を実行する。印刷ジョブ生成処理では、パーソナルコンピュータ３０１は、ユーザーＡからの印刷指示に応じて文書ファイルを使用して受取人指定印刷ジョブを生成する。パーソナルコンピュータ３０１，３０２及び３０３のそれぞれには、予めスマートフォン２０１，２０２及び２０３の所有者であるユーザーＡ，Ｂ及びＣを特定するための情報が登録されているものとする。
【００２６】
パーソナルコンピュータ３０１は、ユーザーＡからの入力に応じて、予め登録してある３台のスマートフォン２０１，２０２及び２０３のいずれかの利用者を受取人として選択することができる。この例では、パーソナルコンピュータ３０１は、ユーザーＡからの入力に応じて、スマートフォン２０２を選択し、これにより、その所有者であるユーザーＢを印刷物の受取人として指定したものとする。パーソナルコンピュータ３０１は、受取人指定印刷ジョブに、ユーザーＢを印刷物の受取人として特定する受取人ＩＤ情報を含める。なお、受取人には、複数のユーザー選択や自己の選択も可能である。
【００２７】
図３は、一実施形態に係るスマートフォン２００に表示される操作表示画面を示す説明図である。図４は、一実施形態に係る受取人側対応処理手順の内容を示すフローチャートである。パーソナルコンピュータ３０１は、無線ＬＡＮを介して印刷情報をスマートフォン２０２に送信する。印刷情報には、印刷処理の実行者や印刷物のファイル名、印刷処理の状態といった印刷内容が含まれている。印刷内容には、さらに、コメントを付加することもできる。
【００２８】
ステップＳ２０では、スマートフォン２０２の制御部２１０は、受取人側対応処理を実行する。ステップＳ２１では、スマートフォン２０２は、無線ＬＡＮを介して印刷情報を受信する。ステップＳ２２では、スマートフォン２０２は、位置関係特定処理を実行する。
【００２９】
位置関係特定処理は、３台の画像形成装置１０１，１０２及び１０３（それぞれプリンターＡ、プリンターＢ及びプリンターＣとも呼ばれる。）との位置関係を前述の電波到達時間差方式や電波受信強度方式等で特定する処理である。位置関係特定処理では、スマートフォン２０２は、プリンターＡ、プリンターＢ及びプリンターＣからの各距離を推定することができる。
【００３０】
ステップＳ２３では、スマートフォン２０２は、印刷情報の受信に応じてプッシュ通知を行い、スマートフォン２０２のユーザーＢに印刷物の受取人に指定されたことを知らせる。プッシュ通知では、スマートフォン２０２は、「受取人指定の印刷物が出力準備中です。との案内の表示とともに、そのディスプレイ２３１に出力リストと、利用可能なプリンターのリストとを表示する。一方、パーソナルコンピュータ３０１は、スマートフォン２０２に表示されるユーザーインターフェース画面に対応する画面を表示し、スマートフォン２０２での対応状況をモニターし、あるいは介入することができる。
【００３１】
なお、コメントが付加されている場合には、併せて表示される。コメントは、たとえば「本日の会議の資料です。予め目を通しておいて下さい。」といった簡単な指示にも利用可能である。
【００３２】
出力リストは、印刷実行者であるユーザーＡが文書ファイル（Ｄｏｃｕｍｅｎｔ＿１．ｐｄｆ）の印刷物を出力準備中であることを示している。プリンターのリストは、スマートフォン２０２に近い順にリストアップされ、プリンターＢがデフォルトのプリンターとして選択されている。
【００３３】
ステップＳ２４では、ユーザーＢは、画像形成装置を選択する。具体的には、ユーザーＢは、ディスプレイ２３１において、プリンターＡ、ＣのいずれかタッチすることによってプリンターＢから変更して、あるいはプリンターＢの選択のままでＯＫアイコン２３１ａをタッチする。ユーザーＢは、キャンセルアイコン２３１ｂをタッチして受け取りを拒否することもできる。
【００３４】
ステップＳ２５では、スマートフォン２０２は、ＯＫアイコン２３１ａのタッチに応じて処理をステップＳ２６に進め、キャンセルアイコン２３１ｂのタッチに応じて処理をステップＳ２７に進める。ステップＳ２７は、スマートフォン２０２は、パーソナルコンピュータ３０１に受け取りが拒否された旨を通信する。これにより、パーソナルコンピュータ３０１のユーザーＡは、ユーザーＢによる受け取り拒否を確認することができる。
【００３５】
この例では、ユーザーＢは、プリンターＢの選択のままでＯＫアイコン２３１ａをタッチしたものとする。ユーザーＢは、たとえば作業中の仕事が片付いた後に、スマートフォン２０２を携帯しつつ、印刷物を受け取るために画像形成装置１０２（プリンターＢ）に近づくものとする。
【００３６】
ステップＳ２６では、スマートフォン２０２は、画像形成装置１０２（プリンターＢ）が選択された旨をパーソナルコンピュータ３０１（ユーザーＡ）に通知する。パーソナルコンピュータ３０１は、この通知に応じて、受取人指定印刷ジョブを画像形成装置１０２に送信する（図２参照）。画像形成装置１０２は、受取人指定印刷ジョブの受信完了に応じてスマートフォン２０２に受信完了した旨を送信する。スマートフォン２０２は、ディスプレイ２３１に表示されている出力リストの状態を「出力準備中」から「出力待ち」（受け取り可能状態）に変更する。出力リストには、複数の受取人指定印刷ジョブを表示することができる。
【００３７】
受取人指定印刷ジョブには、文書ファイルによって表される印刷対象としての画像を表すための画像データと、受取人指定印刷ジョブによる印刷処理の実行者としてのユーザーを特定する実行者ＩＤ情報と、受取人指定印刷ジョブによる印刷物の受取人としてのユーザーを特定する受取人ＩＤ情報と、受取人指定印刷ジョブの種類が受取人指定印刷であることを示すジョブ種情報と、受取人指定印刷を出力するための認証情報と、受取人指定印刷ジョブの発信元であるパーソナルコンピュータ３００を特定する発信元特定情報とが含まれている。
【００３８】
ステップＳ２８では、スマートフォン２０２は、画像形成装置１０２への接近を検知する。接近の検知は、たとえばスマートフォン２０２が画像形成装置１０２から所定の閾値（たとえば３ｍ）の範囲内に入ったことに基づいて検知することができる。この検知は、スマートフォン２０２が受取人指定印刷ジョブの印刷情報を有する場合に実行され、電波到達時間差方式や電波受信強度方式等を使用する位置関係特定処理を利用して行うことができる。スマートフォン２０２は、接近を検知すると、画像形成装置１０２に接近の検知を表す情報である接近検知情報を画像形成装置１０２に送信する。
【００３９】
ステップＳ３０（図２参照）では、画像形成装置１０２が有する制御部１１０の受取人指定印刷管理部１１１は、接近検知情報の受信に応じて電力モード復帰処理を実行する。電力モード復帰処理では、画像形成装置１０２は、定着装置（図示せず）への電源の供給を開始し、操作表示部１３０のバックライト（図示せず）の点灯等のウォームアップを開始する。
【００４０】
ステップＳ４０では、画像形成装置１０２は、受取人ＩＤ情報（単に受取人情報とも呼ばれる。）を使用してユーザー認証処理を実行する。ユーザー認証処理は、スマートフォン２０２が画像形成装置１０２から１ｍの範囲内、すなわち、ユーザーＢが画像形成装置１０２を占有していると推定される距離となった場合に自動的に開始される。ユーザー認証処理は、単に認証処理とも呼ばれる。この距離は、所定の閾値（たとえば３ｍ）の範囲内とされる接近位置よりも画像形成装置１０２に近い位置に設定される。
【００４１】
この推定は、位置関係特定処理を利用して行うこともできるが、たとえばＢＬＵＥＴＯＯＴＨ（登録商標）のＣＬＡＳＳ１を使用して行うこともできる。ＢＬＵＥＴＯＯＴＨ（登録商標）のＣＬＡＳＳ１は、出力１ｍＷの通信であり、スマートフォン２０２と画像形成装置１０２との距離が１ｍ以内程度での通信が可能な近距離無線通信である。この近距離無線通信の接続に基づいて、スマートフォン２０２が画像形成装置１０２から１ｍの範囲内であることを推定することができる。
【００４２】
ユーザー認証処理では、画像形成装置１０２は、スマートフォン２０２に対して、受取人ＩＤ情報によって表される受取人に対応する認証情報（たとえばパスワード）を要求する。スマートフォン２０２は、この要求に応じて認証情報を無線通信で画像形成装置１０２に送信する。画像形成装置１０２は、スマートフォン２０２から受信した認証情報を使用してユーザー認証を完了する（認証成功）。
【００４３】
ステップＳ５０では、画像形成装置１０２は、印刷出力処理を実行する。印刷出力処理では、ユーザーＢは、操作表示部１３０において受取人指定印刷ジョブをタッチして選択し、スタートボタン（図示せず）を押下することによって印刷物を出力することができる。
【００４４】
なお、セキュリティ上の観点から、画像形成装置１０２は、たとえばスタートボタン（図示せず）の押下に応じて、一時パスワードを要求するようにしてもよい。一時パスワードは、スマートフォン２０２のディスプレイ２３１に表示されるので、スマートフォン２０２を携帯するユーザーＢのみが受取人指定の印刷物を受け取ることができる。
【００４５】
このように、一実施形態に係る画像形成システム１０によれば、印刷ジョブの出力者以外のユーザーが低消費電力モードにある画像形成装置において円滑かつ迅速に印刷物を受け取ることができる。一方、スマートフォン２００が受取人指定印刷ジョブの印刷情報を有する場合に、画像形成装置１０２への接近に応じた復帰が行われるので、不要な復帰を減らすことができる。
【００４６】
本発明は、上記各実施形態だけでなく、以下のような変形例でも実施することができる。
【００４７】
変形例１：上記実施形態では、文書ファイルを使用して受取人指定印刷ジョブが生成されているが、複写、すなわち、画像読取部１２１が原稿から画像を読み取って生成された画像データを使用して生成される印刷ジョブにも本発明は適用可能である。
【００４８】
変形例２：上記実施形態や変形例では、パーソナルコンピュータで印刷ジョブが生成されているが、携帯端末で受取人指定印刷ジョブを生成してもよい。
【００４９】
変形例４：上記実施形態では、スマートフォンが画像形成装置への接近を検知しているが、画像形成装置側で検知には、スマートフォンで検知し、その旨を画像形成装置側が受信することも含まれる。さらに、画像形成装置側で距離や位置を推定して検知するようにしてもよい。
【００５０】
変形例３：上記実施形態では、スマートフォンが使用されているが、本発明は、無線通信が可能であればノートＰＣやタブレットといった携帯端末に適用可能である。
【符号の説明】
【００５１】
１０  画像形成システム
１００  画像形成装置
１１０  制御部
１２０  画像形成部
１２１  画像読取部
１２２  画像処理部
１２３  画像出力部
１２３ａ  定着部
１３０  操作表示部
１３１  ディスプレイ
１３２  操作処理部
１４０  記憶部
１５０  通信インターフェース部
２００  スマートフォン
２１０  制御部
２３０  操作表示部
２３１  ディスプレイ
２３２  操作処理部
２４０  記憶部
２５０  通信インターフェース部
３００  パーソナルコンピュータ
４００  アクセスポイント
【図１】
2018079663.tif 000003
【図２】
2018079663.tif 000004
【図３】
2018079663.tif 000005
【図４】
2018079663.tif 000006